(57)【要約】【課題】  噴霧部材が入り組んだ個所などに接触しても方向が変わらず、噴霧しようとする方向に向けたままにしておくことができ、野菜や観葉植物などに各種液剤を噴霧しても、これらが低温の噴霧剤（ＬＰＧなど）による冷害を受けることのない蓄圧式液体噴霧器を提供する。【解決手段】  操作部１と液体容器２とから構成され、操作部１が、液体容器２の口部２ａに保持できるキャップ３並びに通路４ａを有する操作部材４と、噴孔５ａを有する噴霧部材５とからなり、前記通路４ａと噴孔５ａとが可撓性管体６を介して接続され、前記液体容器２内には吸上パイプ７が設けられ、前記操作部材４には前記噴霧部材５を各方向に向けて支持する支持部材８が設けられている。【選択図】    図１
2007029868.tif 000002
【特許請求の範囲】
【請求項１】
操作部（１）と液体容器（２）とから構成され、操作部（１）が、液体容器（２）の口部（２ａ）に保持できるキャップ（３）並びに通路（４ａ）を有する操作部材（４）と、噴孔（５ａ）を有する噴霧部材（５）とからなり、前記通路（４ａ）と噴孔（５ａ）とが可撓性管体（６）を介して接続され、前記液体容器（２）内には吸上パイプ（７）が設けられ、前記操作部材（４）には前記噴霧部材（５）を各方向に向けて支持する支持部材（８）が設けられていることを特徴とする蓄圧式液体噴霧器。
【請求項２】
前記吸上パイプ（７）を、倒立噴霧機構（１１）を有するものとし、前記噴霧部材（５）の噴孔（５ａ）を、噴霧粒子を短時間、空気中に滞留できる噴孔径にしたことを特徴とする請求項１記載の蓄圧式液体噴霧器。
【請求項３】
前記可撓性管体（６）を、スパイラル状またはベローズ状にしたフレキシブルチューブとしたことを特徴とする請求項１記載の蓄圧式液体噴霧器。
【請求項４】
前記支持部材（８）を、前部、上部または両側部の少なくとも一個所以上に凹部（８ａ）を形成したものとし、この凹部（８ａ）に前記噴霧部材（５）に形成した凸部（５ｂ）を凹凸嵌合自在としたことを特徴とする請求項１記載の蓄圧式液体噴霧器。
【請求項５】
前記支持部材（８）を、前部、上部または両側部の少なくとも一個所以上に凸部（８ｂ）を形成したものとし、この凸部（８ｂ）を前記噴霧部材（５）に形成した凹部（５ｃ）に凹凸嵌合自在としたことを特徴とする請求項１記載の蓄圧式液体噴霧器。
【請求項６】
前記液体容器（２）の口部（２ａ）とキャップ（３）とを、屈曲自在としたフレキシブルチューブ（１４）を介して接続することにより請求項１記載の蓄圧式液体噴霧器に適用可能としたことを特徴とする蓄圧式液体噴霧器。
【請求項７】
前記操作部材（４）と支持部材（８）とを、屈曲自在としたフレキシブルチューブ（１４）を介して接続することにより請求項１記載の蓄圧式液体噴霧器に適用可能としたことを特徴とする蓄圧式液体噴霧器。
【発明の詳細な説明】
【技術分野】
【０００１】
この発明は、殺虫剤、殺菌剤、忌避剤、植物成長調整剤、除草剤、肥料等の各種液剤を、例えば野菜や観葉植物などに噴霧するのに使用する蓄圧式液体噴霧器に関するものである。
【背景技術】
【０００２】
従来の液体噴霧器には、例えば図２３に示したように、スプレーノズル１０１に接続できる筒状形態を保持し、少なくとも一部を非噴霧時に折り曲げた状態を維持できる蛇腹部１０２とした噴霧器用ロングノズル１０３が取り付けられたエアゾール式の噴霧器が存在する（特許文献１）。
【０００３】
このような従来の液体噴霧器は、ロングノズル１０３を挿入する個所が入り組んでいたり、隙間内に障害物があったりしても、ノズルを途中で折り曲げたまま、非噴霧時にこの状態を維持できるようにすることにより、これら隙間にスムーズに挿入して噴霧が自由に行えるようにしている。
【特許文献１】特開平１０−６６９００号公報（第２頁、図１）
【発明の開示】
【発明が解決しようとする課題】
【０００４】
ところで、液体噴霧器を使用して、殺虫剤、殺菌剤、忌避剤、植物成長調整剤、除草剤、肥料等の各種液剤を、例えば野菜や観葉植物などに噴霧する場合、これらの花、果実、枝葉などは野菜や植物体の入り組んだ個所に咲いていたり、付いていたりするので、このような入り組んだ個所に噴霧するには、噴霧ノズルを色々な方向に向けて噴霧しないと、それらにうまく噴霧することができない。
【０００５】
上記従来の液体噴霧器は、ノズルを途中で折り曲げたまま、非噴霧時にこの状態を維持できるようにしているので、この液体噴霧器を使用すれば、野菜や植物体の入り組んだ個所に挿入して噴霧が自由に行えそうであるが、ノズルが野菜や植物体に接触すると方向が変わってしまい、噴霧しようとする方向に向けたままに維持しておくことができないという問題点を有する。
【０００６】
さらに、上記従来の液体噴霧器は、エアゾール式の噴霧器において、噴霧方向を変更するようにしたものであるので、各種液剤がエアゾール剤と一緒に噴霧されると、野菜や観葉植物がそのエアゾール剤の低温の噴霧剤（ＬＰＧなど）による冷害を受けるという問題点を有する。
【０００７】
そこで、この発明は、上記従来の問題点を解決しようとするものであり、噴霧部材が入り組んだ個所などに接触しても方向が変わらず、噴霧しようとする方向に向けたままにしておくことができ、野菜や観葉植物などに各種液剤を噴霧しても、これらが低温の噴霧剤（ＬＰＧなど）による冷害を受けることのない蓄圧式液体噴霧器を提供することを目的としてなされたものである。
【課題を解決するための手段】
【０００８】
そのため、この発明の蓄圧式液体噴霧器は、操作部１と液体容器２とから構成され、操作部１が、液体容器２の口部２ａに保持できるキャップ３並びに通路４ａを有する操作部材４と、噴孔５ａを有する噴霧部材５とからなり、前記通路４ａと噴孔５ａとが可撓性管体６を介して接続され、前記液体容器２内には吸上パイプ７が設けられ、前記操作部材４には前記噴霧部材５を各方向に向けて支持する支持部材８が設けられている。
【０００９】
そして、この発明の蓄圧式液体噴霧器は、前記吸上パイプ７を、倒立噴霧機構１１を有するものとし、前記噴霧部材５の噴孔５ａを、噴霧粒子を短時間、空気中に滞留できる噴孔径にしたものとしている。
【００１０】
さらに、この発明の蓄圧式液体噴霧器は、前記可撓性管体６を、スパイラル状またはベローズ状にしたフレキシブルチューブとしている。
【００１１】
また、この発明の蓄圧式液体噴霧器は、前記支持部材８を、前部、上部または両側部の少なくとも一個所以上に凹部８ａを形成したものとし、この凹部８ａに前記噴霧部材５に形成した凸部５ｂを凹凸嵌合自在としている。
【００１２】
さらに、この発明の蓄圧式液体噴霧器は、前記支持部材８を、前部、上部または両側部の少なくとも一個所以上に凸部８ｂを形成したものとし、この凸部８ｂを前記噴霧部材５に形成した凹部５ｃに凹凸嵌合自在としている。
【００１３】
また、この発明の蓄圧式液体噴霧器は、前記液体容器２の口部２ａとキャップ３とを、屈曲自在としたフレキシブルチューブ１４を介して接続することにより前記蓄圧式液体噴霧器に適用可能としている。
【００１４】
さらに、この発明の蓄圧式液体噴霧器は、前記操作部材４と支持部材８とを、屈曲自在としたフレキシブルチューブ１４を介して接続することにより前記蓄圧式液体噴霧器に適用可能としている。
【発明の効果】
【００１５】
この発明の蓄圧式液体噴霧器は、以上に述べたように構成されているので、噴霧部材が入り組んだ個所などに接触しても方向が変わらず、噴霧しようとする方向に向けたままにしておくことができ、野菜や観葉植物などに各種液剤を噴霧しても、これらが低温の噴霧剤（ＬＰＧなど）による冷害を受けることのないものとなる。
【００１６】
さらに、この発明の蓄圧式液体噴霧器は、噴霧操作時に液体容器が常時正立状態を維持できるので、わざわざ倒立噴霧機構を設けなくても、噴霧操作中に噴霧液が残っているのに噴霧が途絶えることがないものとなる。
【００１７】
また、この発明の蓄圧式液体噴霧器は、倒立噴霧機構を設けることで、喩え液体容器が真横、斜め状態になったとしても、噴霧操作中に噴霧液が残っているのに噴霧が途絶えることがないものとなる。
【発明を実施するための最良の形態】
【００１８】
以下、この発明の蓄圧式液体噴霧器の実施の形態を、図面に基づいて説明する。
【００１９】
この発明の蓄圧式液体噴霧器は、図示したように、操作部１と液体容器２とから構成されている。操作部１は、液体容器２の口部２ａに嵌合保持できるキャップ３並びに通路４ａを有する操作部材４と、噴孔５ａを有する噴霧部材５とからなり、前記操作部材４の通路４ａと噴霧部材５の噴孔５ａとが可撓性管体６を介して接続されている。液体容器２内には、殺虫剤、殺菌剤、忌避剤、植物成長調整剤、除草剤、肥料等の各種液剤が収容されており、これら各種液剤を吸い上げるための吸上パイプ７が、その下端を液体容器２の底部に達するようにして設けられている。
【００２０】
前記操作部材４の前部には、前記噴霧部材５を各方向に向けて支持する支持部材８が設けられている。さらに、前記操作部材４には、蓄圧ポンプ９が内蔵されており、レバー１０の操作によりこの蓄圧ポンプ９が作動し、液体容器２内の液剤が、液体容器２の底部に達するようにして設けられた前記吸上パイプ７から吸い上げられ、通路４ａに送られるようにしている。なお、前記吸上パイプ７には、液体容器２が倒立した状態でも噴霧可能とする倒立噴霧機構１１を備えたものとしてもよい。
【００２１】
前記噴霧部材５は、噴孔５ａを有する面以外の少なくとも一面に凸部５ｂまたは凹部５ｃを形成したものとしている。なお、前記噴霧部材５の噴孔５ａは、通路４ａの内径に対する噴孔径を非常に小さいものにするなどして、噴霧粒子を短時間（短くても１０秒以上）、空気中に滞留できる噴孔径にするのが好ましい。このようにすると、野菜や観葉植物などに各種液剤を噴霧する場合に、その各種液剤の薬効などを効果的に発揮させることができる。
【００２２】
前記噴霧部材５は、図１〜３に示した実施形態では、噴孔５ａを有する面に隣接する面の端部に直線状の凸部５ｂを形成したものとしており、図４および図５に示した実施形態では、噴孔５ａを有する面に隣接する面の中央部に直線状の凸部５ｂを形成したものとしており、図６および図７に示した実施形態では、噴孔５ａを有する面に対向する面の中央部に直線状の凸部５ｂを形成したものとしている。
【００２３】
さらに、前記噴霧部材５は、図８および図９、図１０および図１１、図１２および図１３、図１４および図１５に示した実施形態では、噴孔５ａを有する面に隣接する面に十字状の凹部５ｃを形成したものとしており、図１６および図１７に示した実施形態では、噴孔５ａを有する面に隣接する面の中央部に直線状の凹部５ｃを形成したものとしている。
【００２４】
前記可撓性管体６は、図示したものでは、スパイラル状にしたフレキシブルチューブとしているが、直線状にしたフレキシブルチューブとしてもよく、またベローズ状にしたフレキシブルチューブとすることもできる。スパイラル状やベローズ状にしたフレキシブルチューブにするのが、可撓性管体６が、何らかの拍子に引っ張られたときにも、伸びて操作部材４や噴霧部材５との接続部にその引っ張り力が作用せず、これらから外れ難いものなるので好ましい。
【００２５】
前記支持部材８は、前部、上部または両側部の少なくとも一個所以上に凹部８ａを形成したものとし、この凹部８ａに前記噴霧部材５に形成した凸部５ｂを凹凸嵌合自在としている。さらに、前記支持部材８は、前部、上部または両側部の少なくとも一個所以上に凸部８ｂを形成したものとし、この凸部８ｂを前記噴霧部材５に形成した凹部５ｃに凹凸嵌合自在としている。
【００２６】
前記支持部材８は、図１〜３に示した実施形態では、前部、上部および両側部にフック体１２を設け、そのフック体１２の内側に直線状の凹部８ａを形成したものとしており、図４および図５に示した実施形態では、前部に十字状の凹部８ａを形成したものとしており、図６および図７に示した実施形態では、前部および両側部に直線状の凹部８ａを水平方向に形成したものとしている。
【００２７】
さらに、前記支持部材８は、図８および図９に示した実施形態では、上部にスライド自在とした支持片１３を設けたものとし、支持片１３を両側部または片側部に出没自在とし、この支持片１３を突出させたときに凸部８ｂが形成されるものとしている。
【００２８】
また、前記支持部材８は、図１０および図１１に示した実施形態では、上部に起倒自在とした支持片１３を設けたものとし、この支持片１３を上部で垂直方向に起立させたときに凸部８ｂが形成されるものとしている。
【００２９】
さらに、前記支持部材８は、図１２および図１３、図１４および図１５に示した実施形態では、両側部または片側部に起倒自在とした支持片１３を設けたものとし、この支持片１３を側部で垂直方向または水平方向に起立させたときに凸部８ｂが形成されるものとしている。
【００３０】
また、前記支持部材８は、図１６および図１７に示した実施形態では、上部および側部に回動自在とした直線状の凸部８ｂを形成したものとしている。
【００３１】
なお、この発明の蓄圧式液体噴霧器は、図１８および図１９に示したように、前記液体容器２の口部２ａとキャップ３とをベローズ状にして屈曲自在としたフレキシブルチューブ１４を介して接続したものとすることができる。このフレキシブルチューブ１４は、液体容器２の口部２ａを延長して、その延長部分をベローズ状にして屈曲自在とすることができるが、図２０に示したように、キャップ３の雌ねじに螺合する雄ねじ１４ａを外側上部に設け、液体容器２の口部２ａの雄ねじに螺合する雌ねじ１４ｂを内側下部に設けた着脱自在の連結式のものとすることができる。このようにすることにより、この発明の蓄圧式液体噴霧器は、支持部材８を色々な方向に向けることができる。また、支持部材８を色々な方向に向けても、液体容器２は常時正立状態を維持できるので、噴霧操作中に噴霧液が残っているのに噴霧が途絶えることがないものとなる。さらに、前記フレキシブルチューブ１４を着脱自在の連結式のものとした場合には、既存の液体容器２の口部２ａとキャップ３に取り付けることが可能となる。この場合、既存の液体容器２に設けられた吸上パイプ７をフレキシブルチューブ１４の長さ分程度長くするだけでよく、液体容器２を取り代えたり、倒立噴霧機構１１などを設けなくてよい。なお、この図１８、１９および図２０に示した実施形態は、前記フレキシブルチューブ１４以外の部分は、図４および図５に示した実施形態と同様の構成にしているが、他の実施形態と同様の構成にしてもよい。
【００３２】
さらに、この発明の蓄圧式液体噴霧器は、図２１および図２２に示したように、前記操作部材４と支持部材８とをベローズ状にして屈曲自在としたフレキシブルチューブ１４を介して接続したものとすることができる。このようにすることにより、この発明の蓄圧式液体噴霧器は、支持部材８を色々な方向に向けることができる。なお、この図２１および図２２に示した実施形態も、前記フレキシブルチューブ１４以外の部分は、図４および図５に示した実施形態と同様の構成にしているが、他の実施形態と同様の構成にしてもよい。
【００３３】
以上のように構成されたこの発明の蓄圧式液体噴霧器は、次のようにして使用することができる。
【００３４】
先ず、図１〜３に示した蓄圧式液体噴霧器では、噴霧部材５の噴孔５ａを有する面に隣接する面に形成した凸部５ｂを、支持部材８の前部、上部および両側部に形成した凹部８ａのいずれかに凹凸嵌合させる。すると、前記噴霧部材５の噴孔５ａを、前、上、左右の四方向に向けることができるので、これら四方向のうちから使用者が噴霧しようとする方向に向けて使用すればよい。
【００３５】
次に、図４、５に示した蓄圧式液体噴霧器では、噴霧部材５の噴孔５ａを有する面に隣接する面に形成した凸部５ｂを、支持部材８の前部に形成した十字状の凹部８ａに、縦向きまたは横向きにしたり、上下または左右を逆にして凹凸嵌合させる。すると、前記噴霧部材５の噴孔５ａを、上下左右の四方向に向けることができるので、これら四方向のうちから使用者が噴霧しようとする方向に向けて使用すればよい。
【００３６】
図６、７に示した蓄圧式液体噴霧器では、噴霧部材５の噴孔５ａを有する面に対向する面に形成した凸部５ｂを、支持部材８の前部および両側部に水平方向に形成した直線状の凹部８ａの前部および両側部のいずれかの個所に凹凸嵌合させる。すると、前記噴霧部材５の噴孔５ａを、前、左右の三方向に向けることができるので、これら三方向のうちから使用者が噴霧しようとする方向に向けて使用すればよい。
【００３７】
図８、９に示した蓄圧式液体噴霧器では、噴霧部材５の噴孔５ａを有する面に隣接する面に形成した十字状の凹部５ｃを９０度ずつ回転させたいずれかの状態にして、この凹部５ｃに、支持部材８の側部に支持片１３を突出させたときに形成される凸部８ｂを凹凸嵌合させる。すると、前記噴霧部材５の噴孔５ａを、前、上下の三方向に向けることができるので、これら三方向のうちから使用者が噴霧しようとする方向に向けて使用すればよい。
【００３８】
図１０、１１に示した蓄圧式液体噴霧器では、噴霧部材５の噴孔５ａを有する面に隣接する面に形成した十字状の凹部５ｃを９０度ずつ回転させたいずれかの状態にして、この凹部５ｃに、支持部材８の上部に垂直方向に支持片１３を起立させたときに形成される凸部８ｂを凹凸嵌合させる。すると、前記噴霧部材５の噴孔５ａを、前、左右の三方向に向けることができるので、これら三方向のうちから使用者が噴霧しようとする方向に向けて使用すればよい。
【００３９】
図１２、１３に示した蓄圧式液体噴霧器では、噴霧部材５の噴孔５ａを有する面に隣接する面に形成した十字状の凹部５ｃを９０度ずつ回転させたいずれかの状態にして、この凹部５ｃに、支持部材８の側部に水平方向に支持片１３を起立させたときに形成される凸部８ｂを凹凸嵌合させる。すると、前記噴霧部材５の噴孔５ａを、前、上下の三方向に向けることができるので、これら三方向のうちから使用者が噴霧しようとする方向に向けて使用すればよい。
【００４０】
図１４、１５に示した蓄圧式液体噴霧器では、噴霧部材５の噴孔５ａを有する面に隣接する面に形成した十字状の凹部５ｃを９０度ずつ回転させたいずれかの状態にして、この凹部５ｃに、支持部材８の側部に垂直方向に支持片１３を起立させたときに形成される凸部８ｂを凹凸嵌合させる。すると、前記噴霧部材５の噴孔５ａを、前、上下の三方向に向けることができるので、これら三方向のうちから使用者が噴霧しようとする方向に向けて使用すればよい。
【００４１】
図１６、１７に示した蓄圧式液体噴霧器では、噴霧部材５の噴孔５ａを有する面に隣接する面に形成した直線状の凹部５ｃに、支持部材８の上部および側部に回動するようにして形成した直線状の凸部８ｂを凹凸嵌合させる。すると、前記噴霧部材５の噴孔５ａを、上下左右の全角度方向に向けることができるので、これらの方向のうちから使用者が噴霧しようとする方向に向けて使用すればよい。
【００４２】
図１８、１９に示した蓄圧式液体噴霧器では、図４、５に示したものと同様に、噴霧部材５の噴孔５ａを有する面に隣接する面に形成した凸部５ｂを、支持部材８の前部に形成した十字状の凹部８ａに、縦向きまたは横向きにしたり、上下または左右を逆にして凹凸嵌合させる。すると、前記噴霧部材５の噴孔５ａを、上下左右の四方向に向けることができるので、これら四方向のうちから使用者が噴霧しようとする方向に向けて使用すればよい。さらに、この蓄圧式液体噴霧器では、フレキシブルチューブ１４を屈曲させて支持部材８を色々な方向に向け、前記噴霧部材５の噴孔５ａの方向を使用者が噴霧しようとする色々な方向に向けて使用することができる。
【００４３】
図２１、２２に示した蓄圧式液体噴霧器でも、図４、５に示したものと同様に、噴霧部材５の噴孔５ａを有する面に隣接する面に形成した凸部５ｂを、支持部材８の前部に形成した十字状の凹部８ａに、縦向きまたは横向きにしたり、上下または左右を逆にして凹凸嵌合させる。すると、前記噴霧部材５の噴孔５ａを、上下左右の四方向に向けることができるので、この四方向のうちから使用者が噴霧しようとする方向に向けて使用すればよい。さらに、この蓄圧式液体噴霧器では、フレキシブルチューブ１４を屈曲させて支持部材８を色々な方向に向け、前記噴霧部材５の噴孔５ａの方向を使用者が噴霧しようとする色々な方向に向けて使用することができる。
【図面の簡単な説明】
【００４４】
【図１】この発明の蓄圧式液体噴霧器の第１実施形態を示す側面図である。
【図２】第１実施形態の蓄圧式液体噴霧器の正面図である。
【図３】第１実施形態の蓄圧式液体噴霧器の要部斜視図である。
【図４】この発明の蓄圧式液体噴霧器の第２実施形態を示す側面図である。
【図５】第２実施形態の蓄圧式液体噴霧器の要部斜視図である。
【図６】この発明の蓄圧式液体噴霧器の第３実施形態を示す側面図である。
【図７】第３実施形態の蓄圧式液体噴霧器の要部斜視図である。
【図８】この発明の蓄圧式液体噴霧器の第４実施形態を示す側面図である。
【図９】第４実施形態の蓄圧式液体噴霧器の要部斜視図である。
【図１０】この発明の蓄圧式液体噴霧器の第５実施形態を示す側面図である。
【図１１】第５実施形態の蓄圧式液体噴霧器の要部斜視図である。
【図１２】この発明の蓄圧式液体噴霧器の第６実施形態を示す側面図である。
【図１３】第６実施形態の蓄圧式液体噴霧器の要部斜視図である。
【図１４】この発明の蓄圧式液体噴霧器の第７実施形態を示す側面図である。
【図１５】第７実施形態の蓄圧式液体噴霧器の要部斜視図である。
【図１６】この発明の蓄圧式液体噴霧器の第８実施形態を示す側面図である。
【図１７】第８実施形態の蓄圧式液体噴霧器の要部斜視図である。
【図１８】この発明の蓄圧式液体噴霧器の第９実施形態を示す側面図である。
【図１９】第９実施形態の蓄圧式液体噴霧器の要部斜視図である。
【図２０】第９実施形態の蓄圧式液体噴霧器の他の形式を示す要部分解斜視図である。
【図２１】この発明の蓄圧式液体噴霧器の第１０実施形態を示す側面図である。
【図２２】第１０実施形態の蓄圧式液体噴霧器の要部斜視図である。
【図２３】従来の液体噴霧器の一例を示す側面図である。
【符号の説明】
【００４５】
１  操作部
２  液体容器
２ａ  口部
３  キャップ
４  操作部材
４ａ  通路
５  噴霧部材
５ａ  噴孔
５ｂ  凸部
５ｃ  凹部
６  可撓性管体
８  支持部材
８ａ  凹部
８ｂ  凸部
１１  倒立噴霧機構
１４  フレキシブルチューブ
【図１】
2007029868.tif 000003
【図２】
2007029868.tif 000004
【図３】
2007029868.tif 000005
【図４】
2007029868.tif 000006
【図５】
2007029868.tif 000007
【図６】
2007029868.tif 000008
【図７】
2007029868.tif 000009
【図８】
2007029868.tif 000010
【図９】
2007029868.tif 000011
【図１０】
2007029868.tif 000012
【図１１】
2007029868.tif 000013
【図１２】
2007029868.tif 000014
【図１３】
2007029868.tif 000015
【図１４】
2007029868.tif 000016
【図１５】
2007029868.tif 000017
【図１６】
2007029868.tif 000018
【図１７】
2007029868.tif 000019
【図１８】
2007029868.tif 000020
【図１９】
2007029868.tif 000021
【図２０】
2007029868.tif 000022
【図２１】
2007029868.tif 000023
【図２２】
2007029868.tif 000024
【図２３】
2007029868.tif 000025